(57)【特許請求の範囲】
【請求項１】
底面に回転軸を中心とする環状または円形状凹部を有する遊戯具本体と、傾斜上面を有し該遊戯具本体を傾斜状態で回転自在に軸支する支持ベースと、該支持ベースの傾斜上面に等間隔に固定され該遊戯具本体の環状または円形状凹部に衝合して該遊戯具本体を回転自在に支持する複数個のキャスターその他の回転子とを具備してなる回転遊戯具。
【請求項２】
遊戯具本体の回転中心部に筒状体が底面から突出して設けられ、他方、支持ベースの傾斜上面からポールが傾斜上面に対し垂直に突出して設けられ、該遊戯具本体の筒状体に支持ベースのポールを嵌挿させることにより、該遊戯具本体が傾斜しつつ回転自在となっていることを特徴とする請求項１に記載の回転遊戯具。
【請求項３】
遊戯具本体がカップ形乗物であって、内部の内壁に沿って遊戯者が着座する座席を一体に設けてなることを特徴とする請求項２に記載の回転遊戯具。
【発明の詳細な説明】
【０００１】
【産業上の利用分野】
本発明は、例えばコーヒーカップを模した形状（カップ形乗物）をなし、その中心軸をほぼ中心として回転させるようにした回転遊戯具に関する。
【０００２】
【従来の技術】
従来、公園、遊園地などに設けられる、例えばいわゆるコーヒーカップ、すなわちコーヒーカップ形乗物などの回転遊戯具として、遊戯具本体の底面に、その中心軸を中心とする円を描く方向に回転可能なキャスターを例えば４か所、等間隔に固定し、遊戯具本体の中心軸を地面に設置した支持ベース上の回転軸穴に回転自在に垂直に嵌合させたものが知られている。
【０００３】
【発明が解決しようとする課題】
しかし、このような構成からなる従来のコーヒーカップ形乗物などの回転遊戯具においては、キャスターが遊戯具本体の底面に固定され、その底面の回転中心部を支持ベースに回転自在に嵌合させているため、野外に設置され風、雨にさらされると泥、ゴミなどがキャスターや回転部の回転軸部に詰まり易く、それにより回転が重くなり易いという問題があった。さらに、いわゆるコーヒーカップ形乗物などの回転遊戯具では、このように泥、ゴミなどがキャスターや回転部の回転軸部に詰ったとき、いちいち遊戯具本体を取り外し、遊戯具本体を裏返しキャスターや回転部の回転軸部を掃除する必要があり、その掃除もきわめて面倒であった。さらに、従来のコーヒーカップ形乗物などの回転遊戯具は、単に水平面内にて回転するのみであり、スリルに乏しく面白みに欠けるものであった。
【０００４】
したがって、本発明は風、雨にさらされても泥、ゴミなどがキャスターや回転部の回転軸部に詰まりにくく、たとえ泥、ゴミなどが詰まったときでも、掃除を簡単に行うことができ、かつ娯楽性を改善したコーヒーカップ形乗物などの回転遊戯具を提供することを目的とする。
【０００５】
【課題を解決する手段】
本発明は上記課題を解決するため、遊戯具本体を傾斜面をなす支持ベース上に支持させ、遊戯具本体を傾斜しつつ回転させるようにするという手段を講じた。
【０００６】
すなわち、本発明は、底面に回転軸を中心とする環状または円形状凹部を有する遊戯具本体と、傾斜上面を有し該遊戯具本体を傾斜状態で回転自在に軸支する支持ベースと、該支持ベースの傾斜上面に等間隔に固定され該遊戯具本体の環状または円形状凹部に衝合して該遊戯具本体を回転自在に支持する複数個のキャスターその他の回転子とを具備してなる回転遊戯具を提供するものである。
なお、遊戯具本体の回転中心部に筒状体を底面から突出するようにして設け、他方、支持ベースの傾斜上面からポールを傾斜上面に対し垂直に突出するようにして設け、この遊戯具本体の筒状体に支持ベースのポールを嵌挿させることにより、遊戯具本体を傾斜しつつ回転させるようにすることが好ましい。
遊戯具本体としては例えばカップ形乗物を用いることができる。
【０００７】
【作用】
遊戯具本体は、支持ベースの傾斜上面にて傾斜して回転するようになっているから、泥、ゴミなどはその傾斜面を介して下方に自然に落下し排出され易くなり、そのため泥、ゴミなどがキャスターや回転部に詰りずらくなる。また、遊戯具本体をその底面に形成された環状または円形状凹部を介して複数個、例えば４個のキャスターその他の回転子上に載置させ、これらキャスターを介して回転自在とすることにより、キャスターが遊戯具本体の底面に固定されている従来のものと比較して泥、ゴミなどをキャスターや回転部の回転軸部に巻き込むことが更に少なく、また泥、ゴミなどがキャスターや回転部に詰った場合でも、遊戯具本体を退かし支持ベース上のキャスターを掃除することができるので、掃除も簡単で済む。さらに、遊戯具本体は適度に傾斜した状態で回転するので、スリルに富み、娯楽性も向上する。
【０００８】
【実施例】
まず、本発明をコーヒーカップ形乗物に適用した図１ないし図２に記載の実施例を参照して詳細に説明する。
図１は、本発明に係わる回転遊戯具の正面を一部断面にして示す図、図２はこの回転遊戯具の側面図である。これら図から明らかなように、この回転遊戯具は主として遊戯具本体としてのコーヒーカップ形乗物１１と、コーヒーカップ形乗物１１を設置するため地面上に施される支持ベース１２と、この支持ベース１２上面に固定された４個のキャスター１３とからなっている。
【０００９】
コーヒーカップ形乗物１１は、ほぼお椀形をなし、その内部に内壁の沿って座席１４が設けられていて数人の子供が座れるようになっている。また、その一側は縦方向に切欠されていて、これを出入口１５として人が出入りすることができるようになっている。
また、このコーヒーカップ形乗物１１の中心には座席１４より若干高く筒体１６が床面１７から垂直に立設されていて、この中心軸に保持ハンドル１８を頂部に固定したポール１９が嵌挿されていて、筒体１６の上下に配設された一対のベアリング２０、２１を介してコーヒーカップ形乗物１１が筒体１６とともにポール１９の周りにて回転自在となっている。
【００１０】
コーヒーカップ形乗物１１の床面１７に対応する裏側の底面には、コーヒーカップ形乗物１１の回転軸を中心とする円形状の凹部２５が形成されている。
支持ベース１２はその周縁に環状縁部２６が張出していて、この縁部２６を介して適当数のアンカーパイル２７を挿入し、これにより地面に支持ベース１２を固定し得るようになっている。支持ベース１２の上面は図示のように所望の角度の傾斜面１２ａとなっていて、この傾斜面１２ａに後述のキャスター固定板２８が固定されている。また、このキャスター固定板２８のほぼ中央部には上記ポール１９が傾斜面１２ａに対して垂直に突設されている。すなわち、ポール１９は地面に対して傾斜した状態で立設されている。コーヒーカップ形乗物１１がこの傾斜したポール１９の回転軸の周りに回転することになるから、これによりコーヒーカップ形乗物１１もこの傾斜面１２ａに準じて傾斜した状態で回転することになる。
【００１１】
４個のキャスター１３はキャスター固定板２８にその中心から互いに９０度をなす角度を以て等間隔に固定されていて、その上部はコーヒーカップ形乗物１１の円形状凹部２５の内壁に接近するようにしてこの円形状凹部２５と嵌合している（なお、この嵌合深さは、この嵌合が通常外れない程度であればよい）。なお、各キャスター１３はキャスター固定板２８の所定位置に立設された一対の支持板２９と、この一対の支持板２９に軸支された車輪３０とからなり、この車輪３０がコーヒーカップ形乗物１１の円形状凹部２５の底面と接してコーヒーカップ形乗物１１を支持するとともに、コーヒーカップ形乗物１１の回転軸を中心とする円を描く方向（接線方向）に回転することによりコーヒーカップ形乗物１１を回転自在としている。
【００１２】
次に、以上の構成からなる回転遊戯具の動作について説明すると、このコーヒーカップ形乗物１１は、その外から、または内側から保持ハンドル１８を介して、手動により左右のいづれかの方向に向けて押す、あるいは引くことにより、同時にコーヒーカップ形乗物１１をキャスター１３の車輪３０を介してポール１９を回転中心として傾斜させながら左右いづれの方向にも自由に回転させることができる。
【００１３】
また、泥、ゴミなどがキャスター１３に詰まって、回転が鈍くなったときは、コーヒーカップ形乗物１１を人手等により持ち上げ、ポール１９との嵌合を解き、横に移動させれば、各キャスター１３がそのまま支持ベース１２上にて露出することになるので、この泥、ゴミなどを水などにより容易に取り除くことができる。
【００１４】
なお、上記実施例では、キャスター１３の数を４個のものについて説明したが、これに限らず５個以上であってもよい。また、コーヒーカップ形乗物１１内部の構造についても、上記実施例のものに限らず、任意に変更することができる。例えば必要に応じて出入口１５に開閉扉を設けることもできる。
さらに、上記実施例では、コーヒーカップ形乗物１１の裏側底面に、コーヒーカップ形乗物１１の回転軸を中心とする円形状の凹部２５を形成したものについて説明したが、これに限らず、コーヒーカップ形乗物１１の回転軸を中心とする円環状の凹部を形成し、これにキャスター１３の車輪３０を嵌合させるようにしてもよい。また、上記実施例とは逆に、コーヒーカップ形乗物１１の回転軸の底面にキャスター１３を固定させ、支持ベース１２の傾斜面１２ａにて回転走行させるようにしてもよい。
また、上記実施例では、回転子の一例としてキャスターを例示したが、その他の回転子としては、例えば支持ベース上にブラケットを介して上向きに取り付けられた回転ローラ、同様に軸受けを介して取り付けられたスチールボール等であってもよい。
【００１５】
図３ないし図５は本発明の回転遊戯具の他の実施例を示すものであって、図３はその側面図、図４はその平面図、図５はその斜視図である。この実施例は前記実施例のコーヒーカップ形乗物１１の代わりに、その外周壁面の中間位置に沿ってリブ状の環状突起４１ａを付加したカップ形状のカップ形乗物４１を用いた以外は前記実施例と実質的に全く同一であり、したがって、前記実施例と同一部分については同一符号を付すことにより説明を省略する。また、その動作についても全く同一であり、このカップ形乗物４１は、その外から、または内側から保持ハンドル１８を介して、手動により左右のいづれかの方向に向けて押す、あるいは引くことにより、同時にカップ形乗物４１をキャスター１３の車輪３０を介してポール１９を回転中心として傾斜させながら左右いづれの方向にも自由に回転させることができる。
【００１６】
【発明の効果】
以上説明したように、本発明の回転遊戯具によれば、遊戯具本体は、支持ベースの傾斜上面に傾斜して回転するようになっているから、泥、ゴミなどはその傾斜面を介して下方に自然に落下し排出され易くなり、泥、ゴミなどがキャスターや回転部に詰りずらくなる。また、遊戯具本体の底面に環状または円形状凹部を形成し、他方、地面に設置する支持ベース上に適当数のキャスターを固定し、これらキャスターを上記環状または円形状凹部に嵌合させ、遊戯具本体を回転自在に支持するようにすることにより、キャスターが遊戯具本体の底面に固定された従来の回転遊戯具と比較して泥、ゴミなどをキャスターや回転部の回転軸部に巻き込むことが少なく、また泥、ゴミなどでキャスターや回転部に詰った場合でも、遊戯具本体を退かすだけで支持ベース上のキャスターを掃除することができるので、掃除も簡単で済むことになる。さらに、遊戯具本体は適度に傾斜した状態で回転するので、スリルに富み、娯楽性も著しく向上する。
【図面の簡単な説明】
【図１】  本発明に係わる回転遊戯具の正面断面図。
【図２】  図１に示す回転遊戯具の側面図。
【図３】  本発明の他の実施例に係わる回転遊戯具の側面図。
【図４】  図３に示す回転遊戯具の平面図。
【図５】  図３に示す回転遊戯具の斜視図。
【符号の説明】
１１…コーヒーカップ、  １２…支持ベース、  １３…キャスター、  １４…座席、  １５…出入口、  １７…床面、  １８…保持ハンドル、  １９…ポール、  ２０、２１…ベアリング、  ２５…円形状の凹部、  ２７…アンカーパイル、  ２８…キャスター固定板、  ３０…車輪、  ４１…カップ形乗物。
【図１】
0003702000.tif 000002
【図２】
0003702000.tif 000003
【図３】
0003702000.tif 000004
【図４】
0003702000.tif 000005
【図５】
0003702000.tif 000006